(57)【要約】【課題】便利、且つ容易に水ボトル交換作業を行うこと。【解決手段】本発明は、スライド式冷温水器に関するものである。より詳細には、本発明は、ハウジングの下端部に設けられたドロワーに角度調節可能な水ボトルホルダーを取り付け、ドロワーの引き込み時及び引き出し時に水ボトルホルダーの角度調節ができるようにすることにより、ドロワーの引き出し時、水ボトルホルダーが斜めの姿勢で配置され、便利、且つ容易に水ボトルの交換作業を行うことができるスライド式冷温水器に関する。更に本発明は、水ボトルホルダーに水ボトルの差し込み経路をガイドする支持ガイドを設けることにより、水ボトルホルダーが引き出されて傾斜配置された状態で水ボトルが支持ガイドに沿ってぴったり差し込むことができ、水ボトルの交換作業をより手軽に行うことができるスライド式冷温水器に関する。【選択図】図２
2021505486.tif 000002
【特許請求の範囲】
【請求項１】
内部に水ボトルが収容できるように収容スペースを備えており、前面下端部には内部スペースが開放できるように開閉ドアを設け、前面一側には飲み水が取水できるように取水コックを設けたハウジングと、
前記ハウジングの内部スペースに引き込み及び引き出しされるように前記ハウジングにスライド移動できるように取り付けたドロワーと、
水ボトルを差し込んで取付けることができるように設けて前記ドロワーと共にスライド移動し、水ボトルの取り付け角度が調節されるように前記ドロワーに配置角度調節が可能になるように嵌合される水ボトルホルダーと、
前記ドロワーの引き込みと引き出しの可否に応じて前記水ボトルホルダーの配置角度を調節するように備えられた角度調節手段と、
を含み、前記角度調節手段は前記ドロワーが引込まれた場合、前記水ボトルホルダーが起立した状態で配置され、前記ドロワーが引き出された場合、前記水ボトルホルダーが外側方向へ上方斜めの姿勢で配置されるように設けられることを特徴とする、スライド式冷温水器。
【請求項２】
前記水ボトルホルダーは、下端中央部が前記ドロワーに水平ヒンジ軸を中心に回転する方式により角度調節が可能になるように嵌合され、
前記角度調節手段は、
前記水ボトルホルダーの引込み方向の下末端部に設けられるガイドローラーと、
前記ハウジングの内部スペースに固着され、前記水ボトルホルダーが引き込み及び引き出しされる過程で、前記ガイドローラーが挿入ガイドされるようにガイド溝が形成されるガイドプレートと、
を含み、前記ガイド溝は少なくとも一部区間に引出し方向へ行くにしたがって上方斜めになる傾斜区間を有するように形成されており、前記水ボトルホルダーは前記ガイドローラーが前記ガイド溝の傾斜区間に沿って移動する過程で、前記ヒンジ軸を中心に回転し、斜めに配置されることを特徴とする、請求項１記載のスライド式冷温水器。
【請求項３】
前記水ボトルホルダーは、
内部スペースに水ボトルが差し込まれるように上面が開放された中空柱状に形成されるホルダー本体と、
前記ホルダー本体に差し込まれる水ボトルの差し込み経路をガイドするように前記ホルダー本体の外周面に上方突出した支持ガイドと、
を含むことを特徴とする、請求項２記載のスライド式冷温水器。
【請求項４】
前記支持ガイドは、
前記ホルダー本体の外周面に沿って離隔して配置され、前記ホルダー本体の外周面からそれぞれ上方突出する２本のガイド支持台と、
前記ホルダー本体の内周面と同一平面を形成するように設けられ２本の前記ガイド支持台の間を繋ぐガイド連結部と、
を含むことを特徴とする、請求項３記載のスライド式冷温水器 。
【請求項５】
前記ドロワーの引出し方向末端には前記水ボトルホルダーが傾斜配置された状態で、前記水ボトルホルダーの支持ガイドが支持できるように支持段差部が設けられることを特徴とする、請求項４記載のスライド式冷温水器。
【発明の詳細な説明】
【技術分野】
【０００１】
本発明は、スライド式冷温水器に関するものである。より詳細には、本発明は、ハウジングの下端部に設けられたドロワーに角度調節可能な水ボトルホルダーを取り付けてドロワーの引き込み時及び引き出し時に水ボトルホルダーの角度調節ができるようにすることにより、ドロワーの引き出し時、水ボトルが傾斜状に配置され、便利、且つ手軽に水ボトルの交換作業を行うことができるスライド式冷温水器に関する。更に、本発明は、水ボトルホルダーに水ボトルの差し込み経路をガイドする支持ガイドを設けることにより、水ボトルホルダーが引き出しされ、傾斜配置された状態で水ボトルを支持ガイドに沿ってぴったり差し込むことができ、水ボトルの交換作業をより容易に行うことができるスライド式冷温水器に関する。
【背景技術】
【０００２】
近年、急激な産業発展によって環境汚染が深刻化している。その中でも水質汚染は深刻な水準に達しており、家庭や官公署など、殆どの所では水を浄水処理してから飲み水として利用しているのが現状である。
【０００３】
水を浄水処理する装置には冷温水器か、浄水器が主に使用されている。冷温水器とは、広義では水を加熱したり冷却させたりして冷水や温水を供給する装置を意味するが、狭義では水ボトルに貯水されていた水の供給を受け取って水を加熱したり冷却させたりして冷水や温水を供給する装置を意味する。以下で説明する冷温水器は狭義における冷温水器のことを指す。
【０００４】
一般的な冷温水器は、ハウジングの上端部に水ボトルホルダーが設けられ、水ボトルホルダーに取付けられた水ボトルから水の供給を受け取って、冷却させたり加熱したりして冷水や温水を生成し、冷水や温水をそれぞれ冷水タンク及び温水タンクに貯蔵し、別途の取水コックを利用して冷水及び温水を取水できるように構成される。
【０００５】
当該冷温水器は、使用済みの水ボトルを新たな水ボトルに取替えなければならないが、水ボトルが重くて大きいため、水ボトルを冷温水器の上端部に持ち上げて取替えることが容易ではなく、この作業を行う過程でボトルからの水漏れで床面や交換作業者の服が濡れるなど、不都合が生じる。
【０００６】
上記問題を解決するために、最近では冷温水器のハウジング下端部にスライド方式により水ボトルを差し込んで取付けることができる構造が開発されているが、この場合にも水ボトルを起立状態で持ち上げハウジングの下端部に設けられた水ボトルホルダーにぴったり差し込む作業が容易ではなく、相対的に大きな力を必要とするため、力の弱い子供やお年寄り、女性の場合、水ボトルの交換作業が困難であるという問題がある。
【発明の概要】
【発明が解決しようとする課題】
【０００７】
本発明は、従来技術の問題点を解決するために発明されたものであり、本発明の第１の目的は、ハウジングの下端部に設けられたドロワーに角度調節ができる水ボトルホルダーを取り付け、ドロワーの引き込み時及び引き出し時、水ボトルホルダーの角度調節ができるようにすることにより、ドロワーの引き出し時に水ボトルホルダーが傾斜状態で配置され、便利、且つ容易に水ボトル交換作業を行うことができるスライド式冷温水器を提供することである。
【０００８】
本発明の第２の目的は、水ボトルホルダーに水ボトルの差し込み経路をガイドする支持ガイドを備えることにより、水ボトルホルダーが引き出され傾斜配置された状態で水ボトルを支持ガイドに沿ってぴったり差し込むことができ、より手軽に水ボトル交換作業を行うことができるスライド式冷温水器を提供することである。
【課題を解決するための手段】
【０００９】
本発明は、内部に水ボトルが収容できるように収容スペースを備え、前面下端部には内部スペースが開放できるように開閉ドアを設け、前面一側には飲み水が取水できるように取水コックを設けるハウジングと、上記ハウジングの内部スペースに引き込み及び引き出しされるように上記ハウジングにスライド移動できるように取付けられるドロワーと、水ボトルを差し込んで取り付けることができるように設けられて上記ドロワーと共にスライド移動し、水ボトルの取付け角度が調節されるように、上記ドロワーに配置角度調節が可能になるように嵌合される水ボトルホルダーと、上記ドロワーの引き込み及び引き出しの可否に応じて上記水ボトルホルダーの配置角度が調節するように備えられた角度調節手段とを含み、上記角度調節手段は上記ドロワーが引き込まれた場合、上記水ボトルホルダーが起立した状態で配置され、上記ドロワーが引き出された場合、上記水ボトルホルダーが外側方向へ上方斜めの姿勢で配置されるように備えることを特徴とする、スライド式冷温水器を提供する。
【００１０】
尚、上記水ボトルホルダーは下端中央部が上記ドロワーに水平ヒンジ軸を中心に回転する方式によって角度調節が可能になるように嵌合され、上記角度調節手段は上記水ボトルホルダーの引込み方向の下末端部に設けられるガイドローラーと、上記ハウジングの内部スペースに固着され、上記水ボトルホルダーが引き込み及び引き出しされる過程で、上記ガイドローラーが挿入ガイドされるようにガイド溝が形成されるガイドプレートとを含み、上記ガイド溝は少なくとも一部区間に引出し方向へ行くにしたがって上方斜めになる傾斜区間を有するように形成されており、上記水ボトルホルダーは上記ガイドローラーが上記ガイド溝の傾斜区間に沿って移動する過程で、上記ヒンジ軸を中心に回転して斜めに配置できるようになる。
【００１１】
尚、上記水ボトルホルダーは内部スペースに水ボトルが差し込まれるように上面が開放された中空柱状に形成されるホルダー本体と、上記ホルダー本体に差し込まれる水ボトルの差し込み経路をガイドするように上記ホルダー本体の外周面に上方突出した支持ガイドと、を含むことができる。
【００１２】
また、上記支持ガイドは上記ホルダー本体の外周面に沿って離隔して配置され、上記ホルダー本体の外周面からそれぞれ上方突出する２本のガイド支持台と、上記ホルダー本体の内周面と同一平面を形成するように設けられ２本の上記ガイド支持台の間を繋ぐガイド連結部とを含むことができる。
【００１３】
また、上記ドロワーの引出し方向末端には上記水ボトルホルダーが傾斜配置された状態で、上記水ボトルホルダーの支持ガイドが支持できるように支持段差部を設けても良い。
【発明の効果】
【００１４】
本発明によれば、ハウジングの下端部に設けられたドロワーに角度調節可能な水ボトルホルダーを取り付けてドロワーの引き込み時及び引き出し時、水ボトルホルダーの角度調節ができるようにすることで、ドロワーの引き出し時に水ボトルホルダーが傾斜状態で配置され、便利、且つ容易に水ボトル交換作業を行うことができる効果を奏する。
【００１５】
また、水ボトルホルダーに水ボトル差し込み経路をガイドする支持ガイドを設けることにより、水ボトルホルダーが引き出され傾斜配置された状態で水ボトルが支持ガイドに沿ってぴったり差し込むことができて、水ボトル交換作業をより手軽に行うことができる効果を奏する。
【図面の簡単な説明】
【００１６】
【図１】本発明の第１の実施形態に係るスライド式冷温水器の外形を概略的に示す斜視図である。
【図２】本発明の第１の実施形態に係るスライド式冷温水器の作動状態を概略的に示す斜視図である。
【図３】本発明の第１の実施形態に係るスライド式冷温水器のドロワーが引き込まれた状態を示す拡大図である。
【図４】本発明の第１の実施形態に係るスライド式冷温水器のドロワーが引き出された状態を互いに異なる角度から見た拡大斜視図である。
【図５】本発明の第１の実施形態に係るスライド式冷温水器のドロワーが引き出された状態を互いに異なる角度から見た拡大斜視図である。
【図６】本発明の第１の実施形態に係るスライド式冷温水器のドロワーが引き込み及び引き出しの作動状態を示す作動状態図である。
【図７】本発明の第１の実施形態に係るガイドプレートのガイド溝に対する他の形態を示す例示図である。
【図８】本発明の第１の実施形態に係るスライド式冷温水器における水ボトル交換方式を説明するための図である。
【発明を実施するための形態】
【００１７】
以下、本発明の好ましい実施例を添付された図面を参照して具体的に説明する。各図面の構成要素に参照符号を付する場合、同一の構成要素については、たとえ他の図面上に表示されても、できるだけ同一符号を付すようにしていることに留意すべきである。また、本発明の説明において、係わる公知の構成または機能についての具体的な説明が本発明の要旨を曖昧にすると判断される場合には、その詳細な説明は省略する。
【００１８】
図１は、本発明の第１の実施形態に係るスライド式冷温水器の外形を概略的に示す斜視図である。図２は、本発明の第１の実施形態に係るスライド式冷温水器の作動状態を概略的に示す斜視図である。図３は、本発明の第１の実施形態に係るスライド式冷温水器のドロワーが引き込まれた状態を示す拡大図である。図４及び図５は、本発明の第１の実施形態に係るスライド式冷温水器のドロワーが引き出された状態を異なった角度から見た拡大斜視図である。図６は、本発明の第１の実施形態に係るスライド式冷温水器のドロワーの引き込み及び引き出しの作動状態を示す作動状態図である。図７は、本発明の第１の実施形態に係るガイドプレートのガイド溝に対する異なった形態を示した例示図である。図８は、本発明の第１の実施形態に係るスライド式冷温水器の水ボトル交換方式を説明するための図である。
【００１９】
本発明の第１の実施形態に係るスライド式冷温水器は、ハウジング１００、ドロワー２００、水ボトルホルダー３００、及び角度調節手段４００を含み、水ボトルをスライド方式によって取替えできるように備えられる。
【００２０】
ハウジング１００は冷温水器の外観部を構成するものであり、内部には収容スペースが備えられ冷却装置及び冷水タンク、並びに加熱装置及び温水タンクなど、複数個の部品が内部に収容される。ハウジング１００の前面一側には飲み水が取水できるように取水コック１０２が設けられる。ハウジング１００の前面下端部にはハウジング１００の内部スペースが開放できるように開閉ドア１１０が設けられており、開閉ドア１１０によって開放されたハウジング１００の内部スペースに水ボトル１０が収容できるように備えられる。
【００２１】
ドロワー２００は、開閉ドア１１０によって開放されたハウジング１００の内部スペースに引き込み及び引き出しされるようにスライド移動が可能な形態でハウジング１００に嵌合される。ドロワー２００のスライド移動のため、ハウジング１００の内部には別のガイドブロック１２０が固着されており、ドロワー２００はガイドブロック１２０に沿って水平方向にスライド移動してハウジング１００の外部に引き出されたり、ハウジング１００の内部に引き込まれたりする。
【００２２】
水ボトルホルダー３００は水ボトル１０を差し込んで取付けることができるように設けられており、ドロワー２００と共に一体でスライド移動してハウジング１００から引き出されるか、または引き込まれるようにドロワー２００に嵌合される。なお、水ボトルホルダー３００はドロワー２００に配置角度の調節ができるように嵌合される。このように、水ボトルホルダー３００の配置角度が調節されることによって水ボトルホルダー３００に差し込んで取付けられた水ボトル１０の取付け角度が調節される。
【００２３】
角度調節手段４００は、ドロワー２００の引き込みと引き出しの可否に応じて水ボトルホルダー３００の配置角度を調節するように備えられる。該角度調節手段４００は、ドロワー２００がハウジング１００の内部に引き込まれた際、水ボトルホルダー３００に差し込んで取付けられた水ボトル１０が起立状態になるように水ボトルホルダー３００を起立状態で配置させる。一方、ドロワー２００がハウジング１００の外部に引き出された際、水ボトルホルダー３００に差し込んで取付けられた水ボトル１０が外側方向へ上方斜めになるように水ボトルホルダー３００を外側方向へ上方斜めに配置させる。
【００２４】
即ち、図２の（ａ）及び図３に示すようにドロワー２００をハウジング１００の内部にスライド引き込みさせると、水ボトルホルダー３００の水ボトル１０が起立状態になるように水ボトルホルダー３００が起立状態で配置される。図２の（ｂ）、図４及び図５に示すようにドロワー２００をハウジング１００の外部へスライドして引き出すと、水ボトルホルダー３００の水ボトルが外側方向に上方斜めの姿勢で配置されるように水ボトルホルダー３００が外側方向へ上方斜めに配置される。ドロワー２００の引き込みと引き出しの可否に応じて水ボトルホルダー３００の配置角度の変化は、角度調節手段４００によって生じる。
【００２５】
より詳述すれば、水ボトルホルダー３００は、図５に示すように下端部の中心部がドロワー２００に水平ヒンジ軸３０１を中心に回転する方式により角度調節できるように嵌合される。
【００２６】
なお、角度調節手段４００は、水ボトルホルダー３００の引込み方向の下終端部に設けられるガイドローラー４１０と、ハウジング１００の内部スペースに固着され、水ボトルホルダー３００がドロワー２００と共に引き込み及び引き出しされる過程で、ガイドローラー４１０が挿入ガイドされるようにガイド溝４２１が形成されるガイドプレート４２０を含んで構成される。ガイド溝４２１は、少なくとも一部の区間に引出し方向に行くにしたがって上方斜めになる傾斜区間を有するように形成され、水ボトルホルダー３００はガイドローラー４１０がガイド溝４２１の傾斜区間に沿って移動する過程でヒンジ軸３０１を中心に回転しながら斜めに配置されるように設けられる。
【００２７】
ガイド溝４２１は、図３乃至図６に示すように、全体的に直線傾斜区間を有しても良く、この場合はドロワー２００を引き出す過程でガイドローラー４１０が継続してガイド溝４２１の傾斜区間に沿って移動するので、ドロワー２００の引き出し過程中に継続して徐々に水ボトルホルダー３００が傾斜配置される。一方、ガイド溝４２１は、図７の（ａ）に示すように、水平区間と傾斜区間とを有しても良く、この場合はドロワー２００の引出開始区間ではガイドローラー４１０がガイド溝４２１の水平区間に沿って移動するので、水ボトルホルダー３００が水平状態で引き出された後、一定の区間以上引き出されるとガイドローラー４１０がガイド溝４２１の傾斜区間に沿って移動する。従って、この区間から水ボトルホルダー３００が斜めになり、引出過程が進むにつれて継続して徐々に傾斜配置される。尚、図７（ｂ）に示すように、ガイド溝４２１が全体的に曲線傾斜区間を有しても良く、この場合はガイド溝４２１が全体的に直線傾斜区間を有する形と同様にロワー２００の引出過程中に継続して徐々に水ボトルホルダー３００が傾斜配置されるが、最終引出過程に近づくほどより急激な傾斜配置状態を形成することができる。
【００２８】
このようにガイド溝４２１の形状に応じて水ボトルホルダー３００の傾斜配置状態を多様に調節することができるので、ユーザーは必要によって様々なガイド溝４２１を備えることが可能である。
【００２９】
上述したドロワー２００の引き込み及び引き出しの過程、並びに水ボトルホルダー３００の配置角度の調節状態をまとめて説明すると、図６の（ａ）に示すようにドロワー２００をハウジング１００の内部スペースに引き込む際、ガイドローラー４１０がガイド溝４２１に沿って下方へ移動するので、水ボトルホルダー３００はヒンジ軸３０１を中心に、図６に示す方向を基準に時計方向に回転しながら起立状態で配置される。この状態で、図６の（ｂ）に示すようにドロワー２００をハウジング１００から外部スペースに引き出すと、ガイドローラー４１０がガイド溝４２１に沿って上方に移動するので、水ボトルホルダー３００はヒンジ軸３０１を中心に反時計方向に回転し傾斜状態で配置される。
【００３０】
このように水ボトルホルダー３００が外部に引き出された状態で斜めに配置されると、水ボトルホルダー３００に水ボトル１０を取り替える作業を容易に行うことができる。つまり、交換作業者が直接水ボトル１０を起立状態に持ち上げて水ボトルホルダー３００に正確に差し込む作業を行わなくても、水ボトルホルダー３００に水ボトル１０を載置し、水ボトル１０の自重を利用して水ボトルホルダー３００の傾斜面に沿って移動させることができるので、より手軽に、且つ容易に水ボトル１０を差し込むことができる。
【００３１】
一方、水ボトルホルダー３００は、内部スペースに水ボトル１０が差し込まれるように上面が開放された中空柱状に形成されるホルダー本体３１０と、ホルダー本体３１０に差し込まれる水ボトル１０の差し込み経路をガイドするようにホルダー本体３１０の外周面に上方突出する支持ガイド３２０を含んで構成される。
【００３２】
ホルダー本体３１０は、例えば、円筒状の水ボトル１０に対応するように上端が開放された中空円筒状に備えても良く、下端内側中心部には差し込まれた水ボトル１０の内部と連通して水の供給を受け取ることができるようにニードルポートを備えても良い。また、図示しないが、ホルダー本体３１０の下端には、水ボトル１０から供給される水を冷水タンク及び温水タンクに供給できるように供給パイプが連結される。
【００３３】
支持ガイド３２０は、ホルダー本体３１０の外周面に上方突出して水ボトル１０の差し込み経路をガイドするように備えられるが、例えば、図３及び図４に示すように、ホルダー本体３１０の外周面に沿って離隔して配置され、ホルダー本体３１０の外周面からそれぞれ上方突出する２本のガイド支持台３２１と、ホルダー本体３１０の内周面と同一の平面を形成するように備えられ、２本のガイド支持台３２１の間を繋ぐガイド連結部３２２を含んでも良い。ホルダー本体３１０が円筒状の水ボトル１０に対応して中空円筒状で形成された場合、ガイド連結部３２２はホルダー本体３１０の内周面と同一の平面を形成するように円筒状曲面を形成しても良い。
【００３４】
このような構造に従って水ボトルホルダー３００のホルダー本体３１０に水ボトル１０を差し込む過程で、水ボトル１０の差し込み経路を支持ガイド３２０によってガイドすることができるので、交換作業者が水ボトル１０を正確な位置に差し込まなくても水ボトル１０が支持ガイド３２０によってガイドされホルダー本体３１０にぴったりと差し込むことができる。
【００３５】
即ち、図８に示すようにドロワー２００を引き出される際、水ボトルホルダー３００が共に引き出され傾斜配置状態を形成するようになり、この状態で水ボトル１０を水ボトルホルダー３００の支持ガイド３２０の上端に一側がかかるように載置して水ボトル１０をホルダー本体３１０の側に傾けると、水ボトル１０は支持ガイド３２０に沿って下方斜めに移動し、ホルダー本体３１０に差し込まれる。従って、交換作業者が水ボトル１０を水ボトルホルダー３００の支持ガイド３２０までに一側がかかるように載置すると、その後からは非常に簡単に水ボトル１０をホルダー本体３１０に差し込むことができるので、より便利、且つ容易に水ボトル交換作業を行うことができる。
【００３６】
一方、水ボトルホルダー３００はドロワー２００と共にハウジング１００の外部に引き出された状態で傾斜配置状態を形成するようになり、この状態で水ボトルホルダー３００が傾斜配置状態を維持なければならない。そのため、ドロワー２００の引出し方向末端には、水ボトルホルダー３００が傾斜配置された状態で、水ボトルホルダー３００の支持ガイド３２０が支持できるように支持段差部２１０が備えられる。
【００３７】
このような構造によって水ボトルホルダー３００は傾斜配置された状態で、支持ガイド３２０がドロワー２００の支持段差部２１０によって支持されるので、内部に水ボトル１０が差し込まれても支持段差部２１０によって支持され、安定的に傾斜配置状態を維持することができる。
【００３８】
以上の説明は、本発明の技術思想を例示的に説明したものに過ぎないものであり、本発明が属する技術分野で通常の知識を有する者であれば、本発明の本質的な特性から逸脱しない範囲で様々な修正や変形が可能である。したがって、本発明に開示された実施例は、本発明の技術思想を限定するためのものではなく説明するためのものであり、このような実施例により、本発明の技術思想の範囲が限定されるものではない。本発明の保護範囲は次の請求の範囲によって解釈されるべきであり、その同等の範囲内にあるすべての技術思想は、本発明の権利範囲に含まれるものと解釈されるべきである。
【図１】
2021505486.tif 000003
【図２】
2021505486.tif 000004
【図３】
2021505486.tif 000005
【図４】
2021505486.tif 000006
【図５】
2021505486.tif 000007
【図６】
2021505486.tif 000008
【図７】
2021505486.tif 000009
【図８】
2021505486.tif 000010
【国際調査報告】
2021505486.tif 000011
2021505486.tif 000012
2021505486.tif 000013
2021505486.tif 000014